(57)【要約】【課題】人の目がある場所でも気にせずに衣服に付着した埃等を除去することができ、しかも、繊維を傷めることなく小さな付着物でも確実に除去して衣服への再付着の発生がない携帯埃取り具を提供する。  【解決手段】  二つ割の開閉可能な構造に形成された外装ケース２内に、粘着面を外側にして巻回した粘着ロール４を回転と着脱が自在となるよう軸３で支持して収納し、前記外装ケース２を開くことによって、この外装ケース２内に収納されている前記粘着ロール４の一部を開いた外装ケース２の外部に露出させるようにする。【選択図】図１
2007319462.tif 000002
【特許請求の範囲】
【請求項１】
開閉可能な外装ケース内に、粘着面を外側にして巻回した粘着ロールを回転と着脱が自在となるよう軸で支持して収納し、前記外装ケースを開くことによってこの外装ケース内に収納されている前記粘着ロールの一部を開いた外装ケースの外部に露出させるようにした携帯埃取り具。
【請求項２】
上記外装ケースが、二つ割の開閉可能な構造に形成され、この外装ケース内に、粘着ロールを回転可能に外嵌装着する軸を、この外装ケース内に設けた軸支持部で両端を支持することによって架設し、粘着ロールの着脱のために前記軸の少なくとも一方端部が軸支持部に対して取外し可能になっている請求項１に記載の携帯埃取り具。
【請求項３】
上記外装ケースが、ベース部とその両側の開閉蓋で三つ割の開閉可能な構造に形成され、この外装ケース内に、粘着ロールを回転可能に外嵌装着する軸を、前記ベース部に設けた軸支持部で両端を支持することによって架設し、粘着ロールの着脱のために前記軸の少なくとも一方端部が軸支持部に対して取外し可能になっている請求項１に記載の携帯埃取り具。
【発明の詳細な説明】
【技術分野】
【０００１】
この発明は、バッグや鞄等に入れて携行し、主として衣服に付着した埃等を簡単確実に手早く除去することができるようにした携帯埃取り具に関する。
【背景技術】
【０００２】
例えば、外出時において、上着やズボン、スカート等に埃、ふけ等が付着していると見た目に不潔感があり、特に女性の場合はファッション性と清潔感を気にするため、自分の上着等に埃やふけが付着していないか常に気を配るようにしている。
【０００３】
従来、外出先で上着等に付着した埃やふけを除去するために、一方の方向への掻取り機能のあるシート状ブラシをバッグや鞄に入れて携行することが行われている。
【発明の開示】
【発明が解決しようとする課題】
【０００４】
ところで、シート状ブラシは見た目に体裁がわるく、人の目がある場所では特に女性は使いづらいものである。
【０００５】
また、シート状ブラシは、繊維を引っかくことになるので、強くこすると衣類の表面を傷めるという不安があり、しかも、使い勝手が悪く使用範囲が狭く限られ、小さな埃を取る機能が完全であるとはいえず、使い方によっては除去した埃が衣服に再付着するという問題がある。
【０００６】
そこで、この発明の課題は、見た目に化粧品と見間違うようなおしゃれな外観に形成することができ、人の目がある場所でも気にせずに衣服に付着した埃等を除去することができ、しかも、繊維を傷めることなく小さな付着物でも確実に除去して衣服への再付着の発生がない携帯埃取り具を提供することにある。
【課題を解決するための手段】
【０００７】
上記のような課題を解決するため、この発明は、開閉可能な外装ケース内に、粘着面を外側にして巻回した粘着ロールを回転と着脱が自在となるよう軸で支持して収納し、前記外装ケースを開くことによってこの外装ケース内に収納されている前記粘着ロールの一部を開いた外装ケースの外部に露出させるようにした構造を採用したものである。
【０００８】
上記外装ケースが、二つ割の開閉可能な構造に形成され、この外装ケース内に、粘着ロールを回転可能に外嵌装着する軸を、この外装ケース内に設けた軸支持部で両端を支持することによって架設し、粘着ロールの着脱のために前記軸の少なくとも一方端部が軸支持部に対して取外し可能になっている構造とすることができる。
【０００９】
また、上記外装ケースが、ベース部とその両側の開閉蓋で三つ割の開閉可能な構造に形成され、この外装ケース内に、粘着ロールを回転可能に外嵌装着する軸を、前記ベース部に設けた軸支持部で両端を支持することによって架設し、粘着ロールの着脱のために前記軸の少なくとも一方端部が軸支持部に対して取外し可能になっているようにすることができる。
【００１０】
ここで、外装ケースは、円軸状や角軸状の容器に形成され、合成樹脂を用いた簡素なものから、各種装飾を施した重厚で見た目に高級感のあるものまで、自由に選択することができ、また、粘着ロールは、一面側に粘着剤層と他面側に離形剤層を設けた粘着シートを外装ケース内に収まる外径の筒状に巻き上げて形成され、粘着シートにはその長さ方向に、ロール巻き時の外周長さに見合う間隔で切り取り線やミシン目を施し、使用によって外周面の粘着性がなくなるたびに外周の長さ分だけ切り取るようになっている。
【００１１】
上記外装ケースを開くことによって、粘着ロールは円筒の厚み分が開いた外装ケースの外部に露出するように軸に取付けられ、その全長の消費が可能になっていると共に、外装ケースは粘着ロールを衣類の表面に押し付けて転がすときの把持具の役目をすることになる。
【発明の効果】
【００１２】
この発明によると、粘着面を外側にして巻回した粘着ロールを回転と着脱が自在となるよう外装ケース内に収納し、この外装ケースを開くことによって、前記外装ケースに収納されている前記粘着ロールの一部を外部に露出させることで、粘着ロールの使用を可能にしたので、バッグや鞄に入れて携行し、衣服に埃や塵、ふけ等が付着している場合、外装ケースを開いて粘着ロールを衣類の表面に押し付けて転がすだけで、場所を選ばず、どこでも簡単手軽に衣服の付着物を粘着剤層に移し取って除去することができ、衣服の清潔感を保つことができる。
【００１３】
また、外装ケースは、合成樹脂を用いた簡素なものから、各種装飾を施した高級感のあるものまで、自由に選択することができ、特に、高級感のある外装ケースとすることにより、女性のハンドバッグに入れても他の化粧品類と遜色がなく、人目のあるところでも全く気兼ねなしにバッグから取出して使用することができ、しかも、左右どちらの手でも広範囲に無理なく簡単に使用できる。
【００１４】
また、粘着ロールの使用により、粘着剤層で細かい付着物まで確実に除去することができ、しかも、衣服の上を転がすだけであるので、衣服の繊維を傷めることがなく、広い面の付着物を効率よく除去することができる。
【発明を実施するための最良の形態】
【００１５】
以下、この発明の実施の形態を添付図面に基づいて説明する。
【００１６】
図示のように、携帯埃取り具１は、開閉可能な外装ケース２の内部に軸３を架設し、粘着剤面を外側にして巻回した粘着ロール４を前記軸３に回転と着脱が自在となるよう装着することにより外装ケース２内に収納し、前記外装ケース２を開くことにより、前記粘着ロール４の一部を開いた外装ケース２の外部に露出させることができるようにした構造になっている。
【００１７】
図１と図２に示した第１の実施の形態の携帯埃取り具１は、開閉可能な外装ケース２が二つ割タイプであり、この外装ケース２は、両端が閉鎖された半円筒状の容器となるベース部５と、同じく両端が閉鎖された半円筒状の容器となる開閉蓋６を、一方側縁の位置で蝶番や樹脂の可曲接続部等によるヒンジ７によって結合し、ベース部５の上面開口を開閉蓋６で開閉することができるようにしている。
【００１８】
また、ベース部５に対して閉じ位置にある開閉蓋６を固定化できるように、他方側縁の位置に一対の係止部８が設けられている。この係止部８は、図示のような閉じ位置で弾力的に係合するようなものに限らず、ホック式や面ファスナー、磁石等を採用することもできる。
【００１９】
上記外装ケース２は、開閉蓋６を開くことによって開閉蓋６とベース部５が並列し、携帯埃取り具１を使用するときの把持具の役目をすることになる。
【００２０】
上記ベース部５は、下部四隅の位置に設置脚９が突設され、その内側で両端部に軸支持部１０が設けられ、軸３をベース部５の軸心上の位置に架設するようになっている。
【００２１】
一方の軸支持部１０は、軸３の一端に設けた球状部３ａを回動可能で抜け止め状に保持するキャッチ１０ａを有する構造になっており、軸３は一方の軸支持部１０を支点にして傾斜動可能になる。
【００２２】
また、他方の軸支持部１０は、軸３の他端に設けた突軸３ｂを上から落とし込む溝１０ｂを備え、図２（ｂ）の一点鎖線のように、軸３は水平に支持された状態から一方の軸支持部１０を支点にして上方へ傾斜動させることにより、軸３に対する粘着ロール４の抜き差しが行えることになる。
【００２３】
上記粘着ロール４は、外装ケース２内に収まる幅を有し、一面側に粘着剤層と他面側に離形剤層を設けた長い粘着シートを外装ケース２内に収まる外径のロール状に巻き上げて形成され、粘着シートにはその長さ方向に、ロール巻き時の外周長さに見合う間隔で切り取り線やミシン目を施し、使用によって外周面の粘着性がなくなるたびに外周の長さ分だけ切り取るようになっている。
【００２４】
この粘着ロール４は、外装ケース２内に収納した状態で外装ケース２の開閉蓋６を開くと、直径の略半分がベース部５の上面開口から外部に露出し、粘着ロール４の全長を有効に消費することができるようになっている。
【００２５】
なお、外装ケース２の開閉構造は、図示のような上下二つ割に限るものではなく、例えば、下部を支点に左右両側に開閉することができるようにしたり、本体ケースとなるベース部に対して蓋部材を完全に取り外して使用するタイプにしてもよい。
【００２６】
図３と図４は第２の実施の形態の携帯埃取り具を示している。なお、上述した第１の実施の形態と同一部分は同一符号を付して説明する。
【００２７】
第２の実施の形態の携帯埃取り具１は、開閉可能な外装ケース２が三つ割タイプであり、この外装ケース２は、両端に端壁１１を有する浅い弧状の容器となるベース部５ａと、両端が閉鎖された三分の一程度の円筒状容器となる一対の開閉蓋６ａを、ベース部５ａの両側縁の位置でヒンジ７によって結合し、ベース部５ａの上面開口を一対の開閉蓋６ａで開閉することができるようにしている。
【００２８】
閉位置にある両側一対の開閉蓋６ａは、衝合縁に設けた一対の係止具８で固定化することができるようになっている。
【００２９】
上記ベース部５ａは、下部四隅の位置に設置脚９が突設され、その内側で両端壁１１に軸支持部１０が設けられ、軸３をベース部５ａの上部の位置に水平に架設するようになっている。
【００３０】
上記軸３は、途中に設けたバネ１２で常時伸張する方向の弾性を付勢された伸縮自在となり、両端壁１１の軸支持部１０は、軸３の端部が嵌る支持孔１０ｃで形成され、軸３は伸縮によって軸支持部１０間に着脱自在となり、軸３に対する粘着ロール４の抜き差しが行えることになる。
【００３１】
この第２の実施の形態の携帯埃取り具は、一対の開閉蓋６ａをベース部５ａの下部両側に開くことにより、図４（ｂ）に示すように、開閉蓋６ａの外面が設置脚９に当接することで固定され、これを両側から把持することで、携帯埃取り具１の使用が安定よく行えることになる。
【００３２】
この第２の実施の形態の携帯埃取り具においても、端壁１１の軸３から突出する上端部分をできるだけ短くし、粘着ロール４の全長を有効に消費することができるようにする。
【００３３】
図５と図６に示す第３の実施の形態の携帯埃取り具は、外装ケース２が三つ割タイプの変形例であり、基本的な構造は第２の実施の形態と略同様であるが、ベース部５ａが、下部に設置脚９が設けられた一対の対向する端壁１１を下部の位置においてヒンジ７を構成するヒンジ軸７ａで結合して形成され、このヒンジ軸７ａに両側一対の開閉蓋６ａを両側で開閉動自在となるようヒンジ７で取り付けて外装ケース２を形成し、一対の開閉蓋６ａをベース部５ａの下部両側に開くことにより、図６（ｂ）に示すように、開閉蓋６ａの外面が互いに当接することで固定化され、これを両側から把持することで、携帯埃取り具１の使用が安定よく行えるようになっている。
【００３４】
なお、両開閉蓋６ａの外面には、図６（ｂ）のように、開いた状態で互いに吸着する磁石１３を埋設しておき、開いた状態を固定化することができるようにしてもよい。
【００３５】
上記した各実施の形態において、外装ケース２は、合成樹脂、金属、セラミック等の材料を単用もしくは組合わせて形成し、デザインと構造が簡素なものから、各種装飾を施した重厚で見た目に高級感のあるものまで、自由に設計製作することができる。
【００３６】
この発明の携帯埃取り具は、上記のような構成であり、内部に粘着ロール４を収納した外装ケース２の開閉蓋６、６ａを閉じた状態で、外出時にこの携帯埃取り具１を鞄やハンドバッグに入れて携行し、衣服に付着した埃等を除去する場合は、外装ケース２の開閉蓋６、６ａを開いてこれを指先で保持し、露出した粘着ロール４の外周面を衣服の表面に押し当てながら転がして移動させればよく、粘着ロール４の外周に位置する粘着剤層の粘着力で埃等を接着して衣服の表面から除去することができ、粘着剤層で細かい付着物まで確実に除去することができ、しかも、衣服の上を転がすだけであるので、衣服の繊維を傷めることがなく、広い面の付着物を効率よく除去することができる。
【００３７】
上記粘着ロール４の粘着力が低下すれば、外周の粘着シートをはがして一周分の長さだけ切り取ればよく、新たな粘着剤層で再び接着力を発現することができ、多数回の繰り返し使用ができる。
【００３８】
また、粘着ロール４の全長を消費した場合は、ベース部５、５ａから軸３を傾斜動もしくは取り外して粘着ロール４の巻き芯を抜き取り、新たな粘着ロール４を軸３に挿入してこれをベース部５、５ａに収めるようにすればよい。
【００３９】
上記のように、携帯埃取り具１は、外装ケース２を開き、粘着ロール４を衣類の表面に押し付けて転がすだけで、場所を選ばずどこでも簡単手軽に衣服の付着物を粘着剤層に移し取って除去することができ、衣服の清潔感を保つことができ、高級感のある外装ケース２とすることにより、女性のハンドバッグに入れても他の化粧品類と遜色がなく、人目のあるところでも全く気兼ねなしにバッグから取出して使用することができる。
【図面の簡単な説明】
【００４０】
【図１】（ａ）はこの発明に係る第１の実施の形態の携帯埃取り具を示す斜視図、（ｂ）は同携帯埃取り具の開いた状態を示す平面図
【図２】（ａ）は図１（ｂ）の矢印ａ−ａに沿った携帯埃取り具の開いた状態を示す縦断側面図、（ｂ）は粘着ロールの取付け部分を示す縦断正面図
【図３】（ａ）はこの発明に係る第２の実施の形態の携帯埃取り具を示す斜視図、（ｂ）は同携帯埃取り具の開いた状態を示す分解斜視図
【図４】（ａ）は携帯埃取り具の閉じた状態を示す縦断正面図、（ｂ）は（ａ）の矢印ｂ−ｂに沿った縦断側面図
【図５】（ａ）はこの発明に係る第３の実施の形態の携帯埃取り具を示す斜視図、（ｂ）は同携帯埃取り具の開いた状態を示す分解斜視図
【図６】（ａ）は携帯埃取り具の閉じた状態を示す縦断正面図、（ｂ）は携帯埃取り具の閉じた状態を示す縦断側面図
【符号の説明】
【００４１】
１      携帯埃取り具
２      外装ケース
３      軸
４      粘着ロール
５      ベース部
６      開閉蓋
７      ヒンジ
８      係止部
９      設置脚
１０    軸支持部
１１    端壁
【図１】
2007319462.tif 000003
【図２】
2007319462.tif 000004
【図３】
2007319462.tif 000005
【図４】
2007319462.tif 000006
【図５】
2007319462.tif 000007
【図６】
2007319462.tif 000008